(57)【要約】【課題】  ヒンジアームにより操作ボタンを片持ち梁形式に支持しても、操作力解除の際の振動を抑制し得ること、併せて、製造の際に操作ボタンに反り・歪み等が発生しても、操作ボタンを筐体に対し確実に正規の位置に組み付け得るリモコンの提供。【解決手段】  可動部２５の中心伝達部２５２を本来の位置よりもラップ量αだけ前方に位置付けられるように位置設定する。可動部２５の中心伝達部２５２をラップ量αの分だけ後方に押し付けた状態で操作ボタン３１を可動部２５に被せた後、カバープレート４及び５を接着等により組み付ける。操作ボタン３１にラップ量α分の弾性復元力が作用した状態で、凸部３２１がカバープレート４に、凸部３１１がカバープレート５に対し、それぞれ前方に向けて押し付け力を加えた状態で当接を維持する。【選択図】      図８
2015141776.tif 000002
【特許請求の範囲】
【請求項１】
操作ボタンが、この操作ボタンから延設され先端部が筐体側に支点として固定されたヒンジアームによって片持ち梁状に支持され、これにより、後方に向けて押し下げ操作可能に構成されたリモコンにおいて、
前記操作ボタン又はこの操作ボタン側部位のヒンジアームに形成された当接部と、
前記操作ボタンの非押し下げ操作時における状態において、前方への変位を規制するように前記当接部と当接する押さえ部材とを備えている、
ことを特徴とするリモコン。
【請求項２】
請求項１に記載のリモコンであって、
前記当接部は、前記操作ボタン側部位のヒンジアームから前方に突出する凸部により構成されている、リモコン。
【請求項３】
請求項２に記載のリモコンであって、
前記押さえ部材は、前記筐体の前面側に取り付けられたプレート部材により構成され、前記ヒンジアームの先端部は前記プレート部材と前記筐体との間に挟まれた状態で固定されている、リモコン。
【請求項４】
請求項１〜請求項３のいずれかに記載のリモコンであって、
前記当接部は、前記操作ボタンの周縁部であって前記ヒンジアームの延設方向とは反対側の部位の操作ボタンから突出する第２の凸部により構成されている、リモコン。
【請求項５】
請求項４に記載のリモコンであって、
前記押さえ部材は、前記筐体の前面側に取り付けられた第２のプレート部材により構成されている、リモコン。
【請求項６】
請求項１〜請求項５のいずれかに記載のリモコンであって、
前記操作ボタンの後面側と相対向して当接するように前記筐体に組み付けられた前後方向に弾性変位可能な可動部を備え、
前記可動部は、前記操作ボタンの非押し下げ操作時における状態において、前記操作ボタンに対し前方への弾性復元力を付与するように配設されている、リモコン。
【発明の詳細な説明】
【技術分野】
【０００１】
本発明は、リモコンに関し、特に、その操作ボタンが、操作ボタンから延設されたヒンジアームの先端部を支点として固定されて片持ち梁形式に支持されたものにおいて、操作ボタンの押し操作時の不快な振動防止を図り得る上に、合成樹脂成形による反り・歪みがたとえ発生したとしても所定の設計位置に整列させ得る技術に係る。
【背景技術】
【０００２】
押しボタン式の操作ボタンとして、人間が操作ボタンを押し操作することで、その押し操作力が内部の基板上のスイッチに伝わってスイッチの切換が行われるものが知られている。このような操作ボタンを備えたリモコンとして、特許文献１では、操作ボタンに対する押し下げ操作において十分な手応えと心地よさとを与え得るための技術が提案されている。すなわち、パネルの挿通窓に対し下から上に挿通させて突出させた複数の化粧ボタンを、パネルの下側において接続帯片を介して順に接続し、さらに両端の化粧ボタンから延設片をそれぞれ延ばし、両端側の延設片の先端をパネルに固定することにより、各化粧ボタンに対し挿通窓から突出する方向に弾性力を作用させた状態に各化粧ボタンを支持させる。そして、パネルよりも下側位置の各化粧ボタン周囲から相反する両側方にフランジ部を張り出させ、両側のフランジ部の先端からパネル下面に向けて突出して当接することで押し下げ操作時の揺動支点となり得る凸状部を形成したものが提案されている。
【先行技術文献】
【特許文献】
【０００３】
【特許文献１】特開２０１２−１７８２９１号公報
【発明の概要】
【発明が解決しようとする課題】
【０００４】
ところで、操作ボタンからヒンジアームを延設させ、そのヒンジアームの端部を支点として固定することで、操作ボタンの側を宙に浮いた状態の片持ち梁形式に支持し、押し下げ操作時にはヒンジアームが弾性変形に基づき撓み、離せば弾性復元力により元に戻る、という構造を採用した場合には、操作ボタンを放すと弾性復元力が解放状態に戻る際に振動し、例えば「ビーン」という耳障りな騒音発生を招くおそれがある。
【０００５】
又、操作ボタン等の部品は、通常、合成樹脂成形により形成されるが、かかる合成樹脂成形に起因して次のような不都合を招くおそれが考えられる。すなわち、各部の成形寸法についてはかなり精度良く形成可能ではあるものの、比較的細いヒンジアームの如き延設片を操作ボタンと一体に成形する場合には、成形後に反り・歪みを招くおそれがあり、反り・歪みが生じたままリモコンの筐体に組み付けると見栄えが悪くなり外観性を損なうおそれがある。
【０００６】
本発明は、このような事情に鑑みてなされたものであり、その目的とするところは、操作ボタンから延設したヒンジアームの先端を支点として片持ち梁形式に操作ボタンを支持した場合であっても、操作力解除の際の振動を抑制し得るリモコンを提供することにある。併せて、製造の際に操作ボタンに反り・歪み等が発生したとしても、操作ボタンをリモコンに対し確実に正規の位置に組み付け得るようにすることも目的とする。
【課題を解決するための手段】
【０００７】
上記目的を達成するために、本発明では、操作ボタンが、この操作ボタンから延設され先端部が筐体側に支点として固定されたヒンジアームによって片持ち梁状に支持され、これにより、後方に向けて押し下げ操作可能に構成されたリモコンを対象にして、次の特定事項を備えることとした。すなわち、前記操作ボタン又はこの操作ボタン側部位のヒンジアームに形成された当接部と、前記操作ボタンの非押し下げ操作時における状態において、前方への変位を規制するように前記当接部と当接する押さえ部材とを備えることとした（請求項１）。
【０００８】
この発明の場合、操作ボタンに押し下げ力を加えて後方に押し下げ操作を行うと、ヒンジアームがその弾性復元力に抗して撓んで操作ボタンは後方に移動する。そして、押し下げ力を解除させると、操作ボタンは弾性復元力を受けて前方に移動して復帰することになるものの、その際、当接部が押さえ部材と当接してそれ以上の前方への変位が規制されることになる。このため、ヒンジアームの弾性に起因する揺り戻しが制限される結果、押し下げ操作から復帰時の振動発生や、振動発生に起因する騒音発生のおそれを確実に回避することが可能になる。
【０００９】
本発明のリモコンにおいて、当接部として、操作ボタン側部位のヒンジアームから前方に突出する凸部により構成することができる（請求項２）。このようにすることにより、凸部をヒンジアームと一体に形成しているため、操作ボタンに凸部を形成する場合と比べ、筐体側において有効利用し得る空間を少しでも確保し得るようになる。その場合の押さえ部材として、筐体の前面側に取り付けられたプレート部材により構成し、ヒンジアームの先端部をそのプレート部材と筐体との間に挟まれた状態で固定するようにすることができる（請求項３）。このようにすることにより、１つのプレート部材により、ヒンジアームの先端部を支点として固定する役割と、当接部である凸部が当接して前方への移動を規制する役割との双方を果たさせることが可能となる。
【００１０】
本発明のリモコンにおいて、当接部として、操作ボタンの周縁部であってヒンジアームの延設方向とは反対側の部位の操作ボタンから突出する第２の凸部により構成することができる（請求項４）。このようにすることにより、当接部としての凸部をヒンジアームに形成する場合の代わりに、その場合とは異なる選択肢が得られる一方、当接部としてヒンジアームに凸部を形成するとともに操作ボタンに第２の凸部を形成し、双方の凸部により当接部を構成させることにより、より確実な振動抑制作用が得られる。
【００１１】
第２の凸部を形成する場合の押さえ部材として、筐体の前面側に取り付けられた第２のプレート部材により構成することができる（請求項５）。別途、第２のプレート部材を押さえ部材として取り付けることで、第２の凸部の設置位置の自由度が増大する。
【００１２】
本発明のリモコンにおいて、操作ボタンの後面側と相対向して当接するように筐体に組み付けられた前後方向に弾性変位可能な可動部を備えることとし、可動部を、操作ボタンの非押し下げ操作時における状態において、操作ボタンに対し前方への弾性復元力を付与するように配設することができる（請求項６）。このようにすることにより、操作ボタンは可動部から前方への弾性復元力を受け、その弾性復元力により、当接部が押さえ部材に対し前方に向けて押し付けられた状態で当接を維持することになる。これにより、合成樹脂成形に起因して操作ボタンの例えばヒンジアーム等に反りや歪みがたとえ生じたとしても、非押し下げ操作時において操作ボタンを確実に正規の位置に配置させることが可能となる。このため、前記の反りや歪みに起因する外観性の悪化発生を回避することが可能となる。
【発明の効果】
【００１３】
以上、説明したように、本発明のリモコンによれば、操作ボタンに押し下げ力を加えて後方に押し下げ操作を行うと、ヒンジアームがその弾性復元力に抗して撓んで操作ボタンは後方に移動し、押し下げ力を解除させると、操作ボタンは弾性復元力を受けて前方に移動して復帰することになるものの、その際、当接部が押さえ部材と当接してそれ以上の前方への変位を規制することができるようになる。このため、ヒンジアームの弾性に起因する揺り戻しが制限される結果、押し下げ操作から復帰時の振動発生や、振動発生に起因する騒音発生のおそれを確実に回避することができる。
【００１４】
特に，請求項２のリモコンによれば、当接部として、操作ボタン側部位のヒンジアームから前方に突出する凸部により構成することにより、凸部をヒンジアームと一体に形成することができ、操作ボタンに凸部を形成する場合と比べ、筐体側において有効利用し得る空間を少しでも確保することができるようになる。その際、押さえ部材として、筐体の前面側に取り付けられたプレート部材により構成し、ヒンジアームの先端部をそのプレート部材と筐体との間に挟まれた状態で固定するようにすることにより（請求項３）、１つのプレート部材により、ヒンジアームの先端部を支点として固定する役割と、当接部である凸部が当接して前方への移動を規制する役割との双方を果たさせることができるようになる。
【００１５】
請求項４のリモコンによれば、当接部として、操作ボタンの周縁部であってヒンジアームの延設方向とは反対側の部位の操作ボタンから突出する第２の凸部により構成することにより、当接部としての凸部をヒンジアームに形成する場合の代わりに、その場合とは異なる選択肢を得ることができる一方、当接部としてヒンジアームに凸部を形成するとともに操作ボタンに第２の凸部を形成し、双方の凸部により当接部を構成させることにより、より確実な振動抑制作用を得ることができる。その際、第２の凸部を形成する場合の押さえ部材として、筐体の前面側に取り付けられた第２のプレート部材により構成することにより（請求項５）、第２のプレート部材を押さえ部材として別途取り付けるようにしているため、第２の凸部の設置位置の自由度を増大させることができる。
【００１６】
請求項６のリモコンによれば、操作ボタンの後面側と相対向して当接するように筐体に組み付けられた前後方向に弾性変位可能な可動部を備えることとし、可動部を、操作ボタンの非押し下げ操作時における状態において、操作ボタンに対し前方への弾性復元力を付与するように配設することにより、合成樹脂成形により操作ボタンに発生するおそれのある反りや歪みに起因する外観性の悪化発生を回避することができるようになる。すなわち、操作ボタンに対し可動部から前方への弾性復元力を付与することができ、その弾性復元力により、当接部が押さえ部材に対し前方に向けて押し付けられた状態で当接を維持させることができるようになる。これにより、合成樹脂成形に起因して操作ボタンの例えばヒンジアーム等に反りや歪みがたとえ生じたとしても、非押し下げ操作時において操作ボタンを確実に正規の位置に配置させることができるようになる。
【図面の簡単な説明】
【００１７】
【図１】本発明の実施形態に係るリモコンの全体斜視図である。
【図２】図１のリモコンから表示部カバープレート、ボタン本体、絶縁プレートを外した状態の分解斜視図である。
【図３】図２の部分拡大図である。
【図４】図２のボタン本体の裏面側を示す拡大斜視図である。
【図５】図３の筐体に対しボタン本体を組み付けた状態の図３対応図である。
【図６】図５のＡ−Ａ線における部分拡大断面である。
【図７】図５のＢ−Ｂ線における部分拡大断面である。
【図８】組み付けた状態でボタン本体に作用する力関係を原理的に示す断面説明図である。
【図９】押し下げ操作時の状態を原理的に示す断面説明図である。
【図１０】他の形態を示す図５対応図である。
【発明を実施するための形態】
【００１８】
以下、本発明の実施形態を図面に基づいて説明する。
【００１９】
図１は、本発明の実施形態に係るリモコンの模式図である。このリモコンは、例えば給湯装置を遠隔操作するために台所や居室等に設置されて用いられる他、給湯装置以外の装置を遠隔操作するためにも用いることができる。このリモコン１は、筐体２の内部に制御用の基板や液晶表示部（いずれも図示省略）が収容されて構成されている。筐体２は例えば合成樹脂成形により形成することができ、例えば後面ケースと前面ケースとを組み合わせて構成することができる。本実施形態のリモコンは、筐体２の後面側を壁面に対し例えば取付部材を介して取り付けて設置される他、種々の姿勢で設置することができる。以下、壁面に取り付けられた状態の姿勢を前提にして、上下、左右、前後という用語を用いる。
【００２０】
筐体２（図２も併せて参照）の前面には、上下方向中間部にボタン本体３が組み付けられ、ボタン本体３を挟んで下半部には軸Ｘ回りに回転することにより開閉する開閉蓋２１（図１にのみ示す）を開けば絶縁カバープレート５により覆われた詳細設定用の個別操作部２２（図１にのみ示す）が露出するようになっており、又、上半部には表示窓４１を備えた表示部カバープレート４が接着又は溶着等の手段により筐体２の表示面部２４（図２参照）に組み付けられている。絶縁カバープレート５も筐体２に対し接着又は溶着等の手段により組み付けられている。前記の表示部カバープレート４が本発明の押さえ部材としてのプレート部材（第１のプレート部材）を構成し、前記の絶縁カバープレート５が他の押さえ部材としての第２のプレート部材を構成する。
【００２１】
ボタン本体３は、所定数（図例では４つ）の操作ボタン３１，３１，…が左右方向に僅かな隙間を挟んで並んだ状態で一体化されたものである。すなわち、各操作ボタン３１（図２参照）は、互いに切り離されて独立してはいるものの、各操作ボタン３１から上方に延びる一対のヒンジアーム３２，３２の先端部側を互いに連結するように左右方向に延びる連結片３３を介して、全ての操作ボタン３１，３１，…が一体に連結されて１部品として構成されている。連結片３３には、図３に示すように、操作ボタン３１毎の一対のヒンジアーム３２，３２の先端部に相当する部位に支点部３３１が形成され、この各支点部３３１は前方に所定量突出されて他の部位よりも前後方向に所定量ぶ厚く形成される一方、位置決め用の嵌合孔３３２が形成されている。又、各ヒンジアーム３２には、操作ボタン３１側部位である操作ボタン３１側の付け根位置から前方に突出する凸部（第１の凸部）３２１が形成されている。この凸部３２１の突出量は支点部３３１の突出量と同じに設定されている。さらに、各操作ボタン３１の下端縁から下方に向けて突出する第２の凸部３１１が形成されている。各第２の凸部３１１は、筐体２に形成された後述の凹所２５４に入り込んだ状態で絶縁カバープレート５の後面（背面）に当接し、各操作ボタン３１が前方に飛び出さないように規制するようになっている（図５，図６参照）。一方、各操作ボタン３１の後面（背面）には、図４に示すように、外周に沿って後方に所定寸法だけ突出する無端リブ状の周壁３４と、中心位置から後方に突出する中心伝達部３５とが形成されている。なお、各操作ボタン３１は前面には、給湯装置用のリモコンの場合であると、例えば「運転  入／切」、「呼出」、「追いだき」、「ふろ自動」という主要操作に係る表示（図示省略）が付され、この前面（正面）が使用者の例えば手で押し下げ操作される部位とされている。
【００２２】
ボタン本体３の筐体２への組み付け構造について説明すると、筐体２の上下方向の中間部には左右方向に複数（図例では４つ）のボタン操作部２３，２３，…（図２参照）が設けられている。各ボタン操作部２３は、可動部２５と、ボタン本体３の各ヒンジアーム３２及び連結片３３を保持・固定するための保持部２６とを備えて構成されている。可動部２５（図３参照）は、個別操作部２２及び表示面部２４の前面から所定深さだけ後方に凹んだ底面２５０から前方に所定寸法だけ突出する無端リブ状の周壁２５１と、周壁２５１の前端側位置から中心位置まで延びて中心伝達部２５２を片持ち梁形式に支持するアーム部２５３とを備えている。これにより、中心伝達部２５２が後側に押されると、アーム部２５３が弾性変形により撓んで中心伝達部２５２が後側に対し変位し、基板６（図６参照）上のスイッチ６１を押し下げて切換可能となる。この際、中心伝達部２５２は、その前端面が後述の如くボタン本体３を筐体２に組み付けた状態の中心伝達部３５の後端面と当接する本来の前後方向位置よりも所定の微小量（後述の復元力付与分に相当するラップ量α）だけ前方側に突出するように、予め設定されて形成されている。なお、図３中の符号２５４は、可動部２５の底面２５０を含む形成空間の下側に形成された凹所であり、前記の第２の凸部３１１を収容し得るようになっている。
【００２３】
又、保持部２６は、前記表示面部２４の下端領域に形成され、この表示面部２４に対し表示部カバープレート４が接着等により筐体２に組み付けられることにより、前記の各ヒンジアーム３２が遮蔽される一方、連結片３３の各支点部３３１を筐体２との間に挟み込んで固定し得るようになっている。保持部２６の構造を具体的に説明すると、ボタン本体３の各操作ボタン３１毎の一対のヒンジアーム３２，３２をそれぞれ没入させて収容するために前記可動部２５の底面２５０から上方に延びる縦向き凹溝２６１と、各凹溝２６１の上端側に連続し左右方向に延びて連結片３３を没入させて収容するための横向き凹溝２６２とを備えている。横向き凹溝２６２には一対の縦向き凹溝２６１，２６１の中央位置毎に溝底から所定量だけ前方に突出した位置を支持面とする固定部２６３，２６３，…が形成され、各固定部２６３には前方に突出して前記連結片３３の嵌合孔３３２に内嵌し得る突起２６４が形成されている。
【００２４】
そして、ボタン本体３を各可動部２５及び保持部２６に被せて図５に示す状態にした上で、表示部カバープレート４及び絶縁カバープレート５が接着等により組み付けられると、図６及び図７に示す状態となる。すなわち、ボタン本体３（図３参照）を各可動部２５及び保持部２６に被せると、ボタン本体３の連結片３３の嵌合孔３３２，３３２，…に位置決め用の突起２６４，２６４，…が内嵌された状態で連結片３３が横向き凹溝２６２に嵌め込まれ、各ヒンジアーム３２が縦向き凹溝２６１に嵌め込まれ、各操作ボタン３１が可動部２５に被せられると同時に、各第２の凸部３１１が凹所２５４に収容される（図５参照）。そして、ボタン本体３を筐体２に組み付けた状態で表示部カバープレート４（図６参照）が表示部２４に接着等により組み付けられ、絶縁カバープレート５が同様に接着等により組み付けられると、連結片３３の支点部３３１が表示部カバープレート４と、保持部２６の固定部２６３とにより挟み込まれた状態で固定される一方、ヒンジアーム３２は縦向き凹溝２６１の溝底から宙に浮いた状態となり、これにより、操作ボタン３１は自由端として片持ち梁状態で保持されることになる。同時に、第１の凸部３２１が表示部カバープレート４の後面（背面）に当接する一方、第２の凸部３１１（図７参照）が絶縁カバープレート５の後面（背面）に当接することになる。併せて、片持ち梁状態で保持された各操作ボタン３１の中心伝達部３５の後端面が可動部２５の中心伝達部２５２の前端面に当接した状態に配置される。
【００２５】
この際、可動部２５の中心伝達部２５２の前端面が各操作ボタン３１の中心伝達部３５との本来の当接位置よりも所定の微小量だけ前方に位置付けられるように設定されているため、次のような状態になる。すなわち、図８に原理を示すように、各操作ボタン３１の中心伝達部３５は、前記の微小量であるラップ量α（例えば、α＝０．１０〜０．１５ｍｍ程度）だけ前方位置に位置設定された可動部２５の中心伝達部２５２を、その突出量αの分だけ後方に押し付けた状態でその中心伝達部２５２に当接した状態になる。つまり、各ヒンジアーム３２の第１の凸部３２１は表示部カバープレート４に当接して前方への移動が規制されているとともに、第２の凸部３１１も絶縁カバープレート５に当接して前方への移動が規制されているため、各操作ボタン３１は可動部２５の中心伝達部２５２を前記のラップ量αの分だけ後方に押し付けた状態で当接を維持すると同時に、各操作ボタン３１には後方から前方に向けて可動部２５の中心伝達部２５２から所定の弾性復元力が作用することになる。そして、この弾性復元力により第１の凸部３２１は表示部カバープレート４の裏面に対し前方に向けて押し付け力を加えた状態で、又、第２の凸部３１１は絶縁カバープレート５の裏面に対し前方に向けて押し付け力を加えた状態で当接を維持することになる。これにより、合成樹脂成形に起因してボタン本体３の例えば各ヒンジアーム３２等に反りや歪みがたとえ生じたとしても、各操作ボタン３１を非押し下げ操作時において確実に正規の位置に整列させて複数の操作ボタン３１，３１，…を面一に維持させることができるようになる。このため、前記の反りや歪みに起因する外観性の悪化発生を回避することができる。
【００２６】
さらに、本実施形態の場合、各操作ボタン３１の押し下げ操作後の押し下げ力を解除した際の振動発生や、振動発生に起因する騒音発生のおそれを回避することができる。すなわち、図９に原理を示すように、各操作ボタン３１の前面に例えば手指で押し下げ力を加えて後方に押し下げ操作を行うと、各操作ボタン３１は支点部３３１を支点としてヒンジアーム３２がその弾性復元力に抗して撓み、これに伴い可動部２５の中心伝達部２５２をその弾性復元力に抗して後方に移動させてスイッチ６１の切り換えが行われることになる。そして、手指を離して押し下げ力を解除（解放）させると、各操作ボタン３１は可動部２５からの弾性復元力を受けて前方に移動して元の非押し下げ操作時の状態まで復帰することになる。その際、第１の凸部３２１が表示部カバープレート４の後面に当接し、又、第２の凸部３１１が絶縁カバープレート５の後面に当接してそれ以上の前方への移動が阻止されるため、ヒンジアーム３２の弾性に起因する揺り戻しが制限される結果、押し下げ操作から復帰時の振動発生や、振動発生に起因する騒音発生のおそれを確実に回避することができるようになる。かかる振動発生に起因する騒音発生のおそれを回避する作用・効果は、第１の凸部３２１又は第２の凸部３１１のいずれか一方が形成されていれば得ることができる。又、振動発生に起因する騒音発生のおそれを回避する上では、前記の如き所定の突出量α分の弾性復元力の付与も不要であるため、可動部２５を省略してヒンジアーム３２の弾性撓みに基づく押し下げ操作によりスイッチ６１を切換可能に構成することもできる。
【００２７】
＜他の実施形態＞
なお、本発明は前記実施形態に限定されるものではなく、その他種々の実施形態を包含するものである。すなわち、前記実施形態の第１の凸部３２１（図５参照）の代わりに各操作ボタン３１の上端縁に設けた凸部３１２を用いたり、あるいは、第２の凸部３１１の代わりに各操作ボタン３１の下端縁の左右両側位置にそれぞれ設けた凸部３１３を用いたり、することができる（図１０参照）。この場合、実施形態の如く、第１の凸部３２１をヒンジアーム３２に一体に形成した場合には、一対のヒンジアーム３２，３２と連結片３３とにより囲まれる空間を例えば各操作ボタンによる操作状況を表すＬＥＤの設置場所として有効利用することができるようになる。又、当接部としてヒンジアーム３２に形成した凸部３２１を示したが、これに限らず、例えばヒンジアームの厚みを支点部３３１と同じ厚みにすることによりヒンジアームの前面自体が表示部カバープレート４の後面に当接し得るようにすることができる。この場合には、ヒンジアームの前面が当接部を構成することになる。さらに、ボタン本体３として複数の操作ボタン３１，３１，…を連結片３３で一体連結したものを示したが、もちろん個々の操作ボタンを個別に形成し、これを筐体に対し個別に組み付けるようにしてもよい。この場合も、押し下げ操作から復帰時の振動発生や、振動発生に起因する騒音発生のおそれや、合成樹脂成形による反りや歪み発生に起因する外観性の悪化発生のおそれという課題は同様に生じる一方、本発明によりこれらの課題を前記の実施形態と同様に解決することができる。
【符号の説明】
【００２８】
１      リモコン
２      筐体
４      表示部カバープレート（プレート部材、押さえ部材）
５      絶縁カバープレート（第２のプレート部材、押さえ部材）
２５    可動部
３１    操作ボタン
３２    ヒンジアーム
３１１  第２の凸部（当接部）
３２１  第１の凸部（ヒンジアームから前方に突出する凸部，当接部）
３３１  支点部（ヒンジアームの先端部）
【図１】
2015141776.tif 000003
【図２】
2015141776.tif 000004
【図３】
2015141776.tif 000005
【図４】
2015141776.tif 000006
【図５】
2015141776.tif 000007
【図６】
2015141776.tif 000008
【図７】
2015141776.tif 000009
【図８】
2015141776.tif 000010
【図９】
2015141776.tif 000011
【図１０】
2015141776.tif 000012